(57)【要約】  【課題】    安定した進行と方向転換ができ、使用者が一方の足で地面を蹴らなくてもスケートボードに加速前進させることができ、ブレーキ機能を備えたスケートボードの提供。 【解決手段】    前輪がフレームを介してアーム下端に偏位状態で設置され、該前輪は回転盤を中心として回動すると共に、板体部の軸方向と一定の角度を呈し反対方向に斜めに設置され、これにより、使用者が板体部を踏んで前進するとき、前輪が偏向回転をせず、動きと位置が制限されて安定し、使用者は重心の偏りを調整することで進行方向を制御し、安定した進行と方向転換を行なうことができ、また使用者が身体をひねることで板体部に回転盤を中心とした往復位置移動をさせ、板体部に前輪に対し施力させてスケートボードを加速前進させ、また、板体部後端に後輪上方を覆うように後輪カバーを設け、使用者が該後輪カバーを踏んで下方向へ施力すると、該後輪カバーが後輪を圧迫し、ブレーキ効果を得ることができる。  【選択図】    図１ 
0003105612.tif 000002
【実用新案登録請求の範囲】
【請求項１】
板体部後端に後輪を枢設し、該板体部前端にアームを設け、該アーム前端に前管を設け、該前管下端に回転盤を設置し、前輪をフレームにより該アーム下方に偏位状態に設置し、且つ、前輪は回転盤を中心として回動し、板体部の軸方向と一定角度を呈する反対方向に斜めに設置された、スケートボード。    
【請求項２】
前記板体部前端にアームを設け、該アームの前端に横方向の接続棒を固設し、該接続棒の両端にそれぞれ前管を設置し、該前管の下端にそれぞれ回転盤を設置し、該前輪をフレームにより該アーム下方に偏位状態に設置し、且つ、前輪は回転盤を中心として回動し、板体部の軸方向と一定角度を呈する反対方向に斜めに設置され、上述のとっく長により、２つの前輪がフレームと回転盤を利用して組み立てられ、且つ前間下端に位置決めされ、該前管は該接続棒の両端に固定されており、該接続棒とアームが固定されていることにより、三輪式のスケートボードを形成する、請求項１に記載のスケートボード。
【請求項３】
前記板体部後端に後輪を枢設し、且つ、該後輪上方を覆うようにその前端を板体部後端に枢設して後輪カバーを設け、さらに該後輪カバー内側と板体部間に設置された弾性部品により、該後輪カバーが上方向に支持されて位置決めされ、上述の特徴により、該後輪カバーを使用者が踏み該後輪カバーが下方向に施力されると、該後輪カバーが後輪を押圧しブレーキ効果を生む、請求項１または２に記載のスケートボード。
【請求項４】
前記後輪カバーの前端が板体部後端に枢設されて該後輪上方を覆い、且つ、該後輪カバー内側と板体部間に設置された弾性部品により、該後輪カバーが上方向に支持されて位置決めされ、使用者がケーブルを引っ張ることにより該後輪カバーが下方向へ施力され、該後輪カバーが後輪を押圧しブレーキ効果を生む、請求項１または２に記載のスケートボード。
【考案の詳細な説明】
【技術分野】
【０００１】
本考案は、スケートボードの改良に関し、特に、使用者に運動または娯楽の用途を提供するスケートボードであって、一般的な四輪式スケートボード技術及び構造と異なり、前輪を板体部の軸方向と一定角度を呈する反対方向に斜めに設置することで、前進時に位置が制限されて安定し、偏向回転をすることなく、使用者が重心の偏りを調整して進行方向を制御し、また使用者が身体をひねることで板体部に回転盤を中心とした往復位置移動をさせ、板体部に前輪に対し施力させ、加速前進させることができるスケートボードに関する。
【背景技術】
【０００２】
現在市販されているスケートボードは、板体底面に４つの輪体が設けられ、使用者が板体上を踏み、片方の足で地面を蹴ってスケートボードを前進させ、使用者がスケートボードで前進しているとき、重心の偏りの調整を利用し、スケートボードの進行方向を制御する。しかしながら、このようなスケートボードはその操作において、スケートボードの前進速度と動力が不足するため、脚で地面を再び蹴ることでスケートボードを加速する必要があり、脚部と関節部に対し大きな負担がかかる。上述の欠点がスケートボードの操作の楽しみと使用者の運動と娯楽の意思を減退させてしまうため、改善の必要がある。
【考案の開示】
【考案が解決しようとする課題】
【０００３】
本考案の主な目的は、スケートボードの前輪をフレームによりアーム下端に偏位させて設置し、前輪が回転盤を中心として回動し、前輪は板体部の軸方向と一定の角度を呈し反対方向に斜めに設置され、これにより、使用者が板体部を踏んで前進するとき、前輪が板体部の軸方向と反対方向に斜めに設置されているため、前進時に位置が制限されて安定し、偏向回転をせず、使用者は重心の偏りを調整することで進行方向を制御し、これにより安定した進行と方向転換効果が得られ、スケートボードの操作をより軽快にする、スケートボードを提供することにある。
【０００４】
本考案の第二の目的は、スケートボードを駆動して運動しているとき、使用者が身体をひねることで板体部に回転盤を中心とした往復位置移動をさせ、板体部が前輪を押し動かすと共に前輪に対して施力し、加速前進させることができ、これにより使用者が全身運動を行なうことができ、操作の楽しみとスケートボードを利用したフィットネスと娯楽の願望を向上させることができる、スケートボードを提供することにある。    
【０００５】
本考案の第三の目的は、構造が簡単で、体積と重量を大幅に減少させ、使用時により便利であるだけでなく、携帯上の利便性も高く、また、本考案は板体部後端に後輪カバーを備え、該後輪カバーが後輪上方を覆い、使用者が該後輪カバーに対し下方向へ施力すると、該後輪カバーが後輪を圧迫するため、ブレーキ効果を得ることができ、高い安全性を備えたスケートボードを提供することにある。
【課題を解決するための手段】
【０００６】
スケートボードの前輪がフレームを介してアーム下端に偏位状態で設置され、該前輪は回転盤を中心として回動すると共に、板体部の軸方向と一定の角度を呈し反対方向に斜めに設置され、これにより、使用者が板体部を踏んで前進するとき、前輪が板体部の軸方向と反対方向に斜めに設置されているため、前進時に位置が制限されて安定し、偏向回転をせず、使用者は重心の偏りを調整することで進行方向を制御し、これにより安定した進行と方向転換効果が得られ、また使用者が身体をひねることで板体部に回転盤を中心とした往復位置移動をさせ、板体部に前輪に対し施力させてスケートボード加速前進させる。また、板体部後端に後輪上方を覆うように後輪カバーを設け、使用者が該後輪カバーを踏んで下方向へ施力すると、該後輪カバーが後輪を圧迫し、ブレーキ効果を得ることができる。      
【考案を実施するための最良の形態】
【０００７】
【実施例１】
【０００８】
図1及び図２に示すように、本考案のスケートボードは、板体部１０後端に後輪１１を枢設し、該板体部１０前端にアーム１２を設け、該アーム１２前端に前管１３を設置し、該前管１３下端に回転盤１４を設け、前輪１５をフレーム１６により該アーム１２下端に偏位した状態に取り付け、且つ、該前輪１５は回転盤１４を中心として回動し、板体部１０の軸方向と一定の角度を呈して反対方向に斜めに設置され、これにより該前輪１５が斜め方向に該板体部１０前端のアーム１２下方に設置され、使用者が板体部１０を踏んで片足で蹴りながら押し進めることができ、且つ、初期速度で前進する（図４参照）。本考案の直進と方向転換時の安定性は、主に前記前輪１５が回転盤１４下方に偏位した状態で設置されており、且つ、該前輪１５が該回転盤１４を中心として回動するため、前輪１５が板体部１０の重力による押圧を受けない状態下において、該前輪１５は板体部１０の位置に対して最も近い位置と最も遠い位置（図４参照）を有し、使用者が板体部１０を押して前進するとき、該前輪１５の輪体が回転し、地面との間で生じる摩擦力と応力が、回転盤１４を中心として該前輪１５を押し動かして偏向回転をさせ、板体部１０に対し最も近い位置を維持すると同時に、使用者が板体部１０上を踏み、前輪１５を押圧することにより、該前輪１５が上方向へ突っ張り任意に偏向回転することができず（前輪１５が板体部１０に対して最も近い位置にあるとき、該前輪１５が最も遠い位置へ向って回動する場合、該前輪１５は地面に施力し該板体部１０を上方向へ突っ張るように持ち上げなければ、最も遠い位置へ移動することができず、つまり、前輪１５は板体部１０が押圧する力より大きい回動トルクを得て初めて最も遠い位置へ移動することができる）、使用者は重心の偏りを調整することでその進行方向を制御する。
【０００９】
また、図５に示すように、本考案は進行時において動力を加え加速したい場合、使用者は身体をひねり、板体部1０に回転盤１４を中心とした往復移動を発生させ、インラインスケートに似た駆動方式で、該板体部１０と後輪１１を横方向へ偏移させ、このとき、該板体部１０と後輪１１は、前輪１５の偏位と、自らが前輪１５に対して最も近い位置から移動しようとすることにより、このとき使用者の重量が前輪１５を押圧し、前輪１５は正確な方向を維持して前進しており、板体部１０と後輪１１が前輪１５の進行方向の軸線に向って戻るとき、後輪１１と板体部１０が前輪１５に対し応力を加えるため、前輪１５が回転トルクを得て押し動かされて前進し、これにより、使用者は操作時に身体をひねることで板体部１０に回転盤１４を中心とした往復移動を発生させ、従来の絶えず地面を蹴る必要があるという欠点を廃上し、全身の運動性と操作の楽しみが向上される。
【００１０】
また、使用者の操作上の利便性と安全性を向上するため、板対部１０後端に後輪１１を枢設し、後輪カバー１７の前端を板体部１０後端と枢設し、該後輪１１の上方を覆う状態で設置し、且つ、該後輪カバー１７内側と板体部１０間に弾性部品１８を設置し、該後輪カバー１７を上方向へ支持して位置決めする。上述の特徴により、使用者が該後輪カバー１７を踏むか、ケーブル１９を利用して該後輪カバー１７を下方向へ押圧すると、該後輪カバー１７が後輪１１を押圧し、ブレーキの効果を得ることができる。
【実施例２】
【００１１】
図６に本考案の別の実施例を示す。板体部２０の後端に後輪２１を枢設し、該後輪２１上方を覆うように後輪カバー２７を設置し、板体部２０の前端にはアーム２２を設置し、該アーム２２の前端に横方向の接続棒２２１を固定して設け、該接続棒２２１の両端にそれぞれ前管２３、２３aを設置し、該前管２３、２３aの下端にそれぞれ回転盤（図には未表示）を設置し、前輪２５、２５aがフレーム２６、２６aにより該回転盤下端に偏位した状態でそれぞれ設置され、且つ、該前輪２５、２５aは、回転盤を中心として回動し、該板体部２０の軸方向と反対方向を呈して斜めに設置される。上述の特徴により、２つの前輪２５、２５aがフレーム２６、２６aと回転盤を利用して取り付けられ、前管２３、２３aの下端に位置決めされ、且つ、該前管２３、２３aが接続棒２２１の両端に固定されており、該接続棒２２１とアーム２２が固定され、三輪式のスケートボードが形成される。その操作においては、同様の技巧を用い、使用者が板体部２０を踏んで押し動かして前進し、且つ前進時に重心の偏りを調整することで進行方向が制御される。また、使用者は身体をひねることで、板体部２０に往復移動を生じさせ、加速と前進駆動を促すことができる。これにより、初心者でも便利且つ迅速にその操作要領を習得することができ、子供や年長者も楽しめる、異なる使用者のニーズを満足させることが可能となる。
【図面の簡単な説明】
【００１２】
【図１】本考案の立体外観図である。
【図２】本考案の側面平面図である。
【図３】本考案の使用状態を示す模式図である。
【図４】本考案の前進時において前輪が自動的に位置調整される動作を示す模式図である。
【図５】本考案において使用者が身体をひねり板体部に回転盤を中心として往復移動させ、板体部に前輪に対して施力させる動作を示す模式図である。
【図６】本考案の別の実施例を示す立体外観図である。
【符号の説明】
【００１３】
１０、２０      板体部
１１、２１      後輪
１２、２２      アーム
１３、２３、２３a    前管
１４      回転盤
１５、２５、２５a    前輪
１６、２６、２６a    フレーム
１７、２７、２７a    後輪カバー
１８      弾性部品
１９      ケーブル
２２１    接続棒
【図１】
0003105612.tif 000003
【図２】
0003105612.tif 000004
【図３】
0003105612.tif 000005
【図４】
0003105612.tif 000006
【図５】
0003105612.tif 000007
【図６】
0003105612.tif 000008